(57)【要約】      （修正有）【課題】組み立てが容易でありながら、取り外し可能な眼鏡フレームを備える３Ｄ用眼鏡を提供する。【解決手段】端部にテンプル３が形成された結合フレーム６の中央部には支持部９が形成され、前記支持部９には垂直線上に締結突起９ａが形成されているフレーム１０と、両側に３Ｄ用レンズ１２が挿入され、中央部の裏面に締結突起９ａを挿入するための‘Ｔ’字状のスライド溝１８が垂直線上に形成されたフロント眼鏡フレーム２０とを備えることを特徴とする組み立てが容易でありながら、取り外し可能な眼鏡フレーム。【選択図】図２
0003179613.tif 000002
【実用新案登録請求の範囲】
【請求項１】
端部にテンプル（３）が形成された結合フレーム（６）の中央部には支持部（９）が形成され、前記支持部（９）には垂直線上に締結突起（９ａ）が形成されているフレーム（１０）と、 
両側に３Ｄ用レンズ（１２）が挿入され、中央部の裏面に締結突起（９ａ）を挿入するための‘Ｔ’字状のスライド溝（１８）が垂直線上に形成されたフロント眼鏡フレーム（２０）とを備えることを特徴とする組み立てが容易でありながら、取り外し可能な眼鏡フレームを備える３Ｄ用眼鏡。 
【請求項２】
端部にテンプル（３）が形成された結合フレーム（６）の中央部には支持部（２２）が形成され、前記支持部（２２）の中央部にはホック締結孔（２２ａ）が形成されているフレーム（１０）と、 
両側に３Ｄ用レンズ（１２）が挿入され、中央部の裏面に前記ホック締結孔（２２）に挿入されるホック（２４）が形成されたフロント眼鏡フレーム（２０）とを備えることを特徴とする組み立てが容易でありながら、取り外し可能な眼鏡フレームを備える３Ｄ用眼鏡。 
【請求項３】
端部にテンプル（３）が形成された結合フレーム（６）の中央部には支持部（３２）が形成され、前記支持部（３２）の中央部にはピース（Ｐ）を締結するためのピース締結孔（３２ａ）が形成されているフレーム（１０）と、 
両側に３Ｄ用レンズ（１２）が挿入され、中央部の裏面にピース締結孔（３２ａ）が形成されたフロント眼鏡フレーム（２０）とを備えることを特徴とする組み立てが容易でありながら、取り外し可能な眼鏡フレームを備える３Ｄ用眼鏡。
【考案の詳細な説明】
【技術分野】
【０００１】
本考案は、組み立てが容易でありながら、取り外し可能な眼鏡フレームを備える３Ｄ用眼鏡に係り、さらに詳細には、結合フレームの前面の中央部に形成された着脱突起に３Ｄ用レンズが結合されたフロント眼鏡フレームを取り付けて使用したり、または、ユーザの視力に合わせてフロント眼鏡フレームを変更可能な構造を有する、組み立てが容易でありながら、取り外し可能な眼鏡フレームを備える３Ｄ用眼鏡に関する。 
【背景技術】
【０００２】
近年、映像技術の発展に伴い、３Ｄ映像を視聴する機会が増えている。従来、立体画像が視聴可能な３Ｄ用眼鏡は、レンズが眼鏡フレームの内側に固定されているため、ユーザが３Ｄ用眼鏡をかけるときに、ユーザの視力と眼鏡の度が合わない場合には使い勝手が悪いという問題点がある。 
【０００３】
従来の３Ｄ用眼鏡は、レンズを交替することができず、レンズと眼鏡フレームとが一体に形成されているため、ユーザが劇場で３Ｄ映画を観覧する場合には不便さを感じるようになる。 
【０００４】
また、従来の３Ｄ用眼鏡は、レンズが眼鏡フレームに固定されているため、ユーザの視力と眼鏡の度が合わない場合に、ユーザの視力に合わせて度を調節することができないという問題点があった。 
【０００５】
本考案の出願人は、このような問題点を解決するために、特許文献１に記載のような、結合フレームの前面の中央部に形成された着脱突起が、フロント眼鏡フレームに配設されている着脱溝に嵌合する構造を有する３Ｄ用眼鏡を提案している。しかし、特許文献１に記載の３Ｄ用眼鏡は、着脱溝に嵌合する着脱突起の嵌合力が弱いため、度々使用中に眼鏡フレームからフロント眼鏡フレームが離脱したりする欠点がある。 
【先行技術文献】
【特許文献】
【０００６】
【特許文献１】韓国実用新案第２０−２０１０−００１０３９５号公報
【考案の概要】
【考案が解決しようとする課題】
【０００７】
本考案は、前記のような問題点に鑑みてなされたものであって、本考案の目的は、結合フレームの前面の中央部に着脱突起が形成されているため、結合フレームの前面に着脱可能なフロント眼鏡フレームを取り付けて使用する、組み立てが容易でありながら、取り外し可能な眼鏡フレームを備える３Ｄ用眼鏡を提供することである。 
【課題を解決するための手段】
【０００８】
前記目的を達成するために、本考案は、端部にテンプル（３）が形成された結合フレーム（６）の中央部には支持部（９）が形成され、前記支持部（９）には垂直線上に締結突起（９ａ）が形成されているフレーム（１０）と、両側に３Ｄ用レンズ（１２）が挿入され、中央部の裏面に締結突起（９ａ）を挿入するための‘Ｔ’字状のスライド溝（１８）が垂直線上に形成されたフロント眼鏡フレーム（２０）とを備える組み立てが容易でありながら、取り外し可能な眼鏡フレームを備える３Ｄ用眼鏡を提供する。 
【０００９】
また、端部にテンプル（３）が形成された結合フレーム（６）の中央部には支持部（２２）が形成され、前記支持部（２２）の中央部にはホック締結孔（２２ａ）が形成されているフレーム（１０）と、両側に３Ｄ用レンズ（１２）が挿入され、中央部の裏面に前記ホック締結孔（２２）に挿入されるホック（２４）が形成されたフロント眼鏡フレーム（２０）とを備える組み立てが容易でありながら、取り外し可能な眼鏡フレームを備える３Ｄ用眼鏡を提供する。 
【００１０】
一方、端部にテンプル（３）が形成された結合フレーム（６）の中央部には支持部（３２）が形成され、前記支持部（３２）の中央部にはピース（Ｐ）を締結するためのピース締結孔（３２ａ）が形成されているフレーム（１０）と、両側に３Ｄ用レンズ（１２）が挿入され、中央部の裏面にピース締結孔（３２ａ）が形成されたフロント眼鏡フレーム（２０）とを備える組み立てが容易でありながら、取り外し可能な眼鏡フレームを備える３Ｄ用眼鏡を提供する。 
【考案の効果】
【００１１】
本考案によれば、それぞれ個別に成形された結合フレーム及びフロント眼鏡フレームに締結手段を形成して、眼鏡フレームとフロント眼鏡フレームとの間の結合及び分離が迅速かつ容易に行われることができる。 
【図面の簡単な説明】
【００１２】
【図１】本考案による３Ｄ用眼鏡の結合斜視図である。
【図２】本考案によるスライドタイプ３Ｄ用眼鏡の分解斜視図である。
【図３】図２に示すスライドタイプ３Ｄ用眼鏡の縦断面図である。
【図４】本考案の第１実施形態による３Ｄ用眼鏡の分解斜視図である。
【図５】図４に示す３Ｄ用眼鏡の縦断面図である。
【図６】本考案の第２実施形態による３Ｄ用眼鏡の分解斜視図である。
【図７】図６に示す３Ｄ用眼鏡の縦断面図である。
【考案を実施するための形態】
【００１３】
以下、添付図面を参照して本考案の好ましい実施形態を詳細に説明する。 
【００１４】
図１は本考案による３Ｄ用眼鏡の結合斜視図であり、図２は本考案によるスライドタイプ３Ｄ用眼鏡の分解斜視図であり、図３は図２に示すスライドタイプ３Ｄ用眼鏡の縦断面図であり、図４は本考案の第１実施形態による３Ｄ用眼鏡の分解斜視図であり、図５は図４に示す３Ｄ用眼鏡の縦断面図であり、図６は本考案の第２実施形態による３Ｄ用眼鏡の分解斜視図であり、図７は図６に示す３Ｄ用眼鏡の縦断面図である。 
【００１５】
図示のように、本考案は、フレーム１０と、前記フレーム１０の前面の中央部に着脱可能に形成されたフロント眼鏡フレーム２０とからなる。 
【００１６】
前記フレーム１０は、中央部に結合フレーム６が形成され、この結合フレーム６の両側にテンプル３が一体に結合される。 
【００１７】
また、前記結合フレーム６の中央部には広幅の支持部９が形成され、前記支持部９の前面には外部に突出した締結突起９ａが縦方向に長く形成されている。 
【００１８】
一方、前記フレーム１０を構成する結合フレーム６の中央部の前面に形成された締結突起９ａがスライド結合及び分離されるフロント眼鏡フレーム２０は図１及び図２に示されるような構造を有する。 
【００１９】
すなわち、前記フロント眼鏡フレーム２０は、３Ｄ画像を視聴することができるレンズ１２が内側に挿入されて固定された２つのレンズ固定フレーム１４と、前記レンズ固定フレーム１４の中央部に形成された固定片１６とを備える。 
【００２０】
前記固定片１６の裏面には、前述の締結突起９ａを挿入するためのスライド溝１８が形成されている。前記スライド溝１８は、締結突起９ａが前後に離脱することを防止するために‘Ｔ’字状に形成される。 
【００２１】
前述の構造を有するフレーム１０を構成する固定片１６の中央部に形成された支持部９に配設されている締結突起９ａを、フロント眼鏡フレーム２０に形成されたスライド溝１８に挿入することによって使用する。 
【００２２】
したがって、フレーム１０を構成する支持部９の前面に縦方向に形成された締結突起９ａと、フロント眼鏡フレーム２０に形成されたスライド溝１８との間の自由な結合及び分離が容易かつ迅速に行われることができる。 
【００２３】
図４及び図５は、それぞれ本考案の第１実施形態による３Ｄ用眼鏡の分解斜視図及び縦断面図である。本実施形態では、フレーム１０とフロント眼鏡フレーム２０とはホックタイプに結合される。 
【００２４】
すなわち、フレーム１０を構成する結合フレーム６の中央部に形成された支持部２２にはホック締結孔２２ａが形成されている。前記ホック締結孔２２ａにはホック２４を構成する頭部２４ａが掛かるように段差２２ａが形成されている。 
【００２５】
そして、前記ホック締結孔２２ａに結合するように、フロント眼鏡フレーム２０の中央部の裏面には頭部２４ａを備えるホック２４が形成される。 
【００２６】
前記ホック２４は、左右対称に所定の弾性力を与えるために、中央部に所定の空間部が形成された構造を有する。 
【００２７】
このような鋳造により、フレーム１０を構成するホック締結孔２２ａにフロント眼鏡フレーム２０の裏面に形成されたホック２４を挿入することによって、フレーム１０とフロント眼鏡フレーム２０との間の結合及び分離が迅速かつ容易に行われることができる。 
【００２８】
図６及び図７は、それぞれ本考案の第２実施形態による３Ｄ用眼鏡の分解斜視図及び縦断面図である。本実施形態は、ピースタイプを適用して、フレーム１０と３Ｄ用レンズ１２を備えるフロント眼鏡フレーム２０とを一体に結合する鋳造を採択している。 
【００２９】
図６及び図７に示されるように、フレーム１０を構成する結合フレーム６の中央部に、下部に延長した支持部３２が形成されている。前記支持部３２の中央部にはピースＰを締結するためのピース締結孔３２ａが形成されている。 
【００３０】
また、フレーム１０に結合されるフロント眼鏡フレーム２０の中央部に形成された連結片３４の中央部には、ピースＰを締結するための小孔３６が形成されている。 
前記構造は、フレーム１０を構成する結合フレーム６に形成されたピース締結孔３２ａとフロント眼鏡フレーム２０に形成された小孔３６とを一致させた状態でピースＰを締結することによって、フレーム１０とフロント眼鏡フレーム２０とが一体に組み立てられる。      
【００３１】
このように、本考案にスライドタイプ、ホックタイプ及びピースタイプを適用することによって、フレーム１０とフロント眼鏡フレーム２０との間の結合及び分離が迅速かつ容易に行われることができる。 
【００３２】
前述のように、本考案は図面に示される実施形態を参照として説明されたが、これは例示的なものに過ぎないものであり、当業者ならこれから多様な形状の変形及び均等な他の実施形態が可能であるという点を理解することができる。 
したがって、本考案の真の技術的な保護範囲は、特許請求の範囲の技術的思想によって定められなければならない。 
【符号の説明】
【００３３】
３ テンプル 
６ 結合フレーム 
９ 支持部 
９ａ 締結突起 
１０ フレーム 
１８ スライド溝 
２０ フロント眼鏡フレーム 
２２ ホック締結孔 
２４ ホック 
３６ ピース締結孔 
３８ 小孔 4 
【図１】
0003179613.tif 000003
【図２】
0003179613.tif 000004
【図３】
0003179613.tif 000005
【図４】
0003179613.tif 000006
【図５】
0003179613.tif 000007
【図６】
0003179613.tif 000008
【図７】
0003179613.tif 000009